(57)【要約】【課題】音声信号の周波数を変更していることが相手装置側の通話者に知られることを防止することができる音声通信装置を提供すること。【解決手段】音声通信装置である親機２は、音声信号を受信するとともに音声信号を送信する送受信手段５と、送受信手段５によって送信される音声信号の周波数を変更する周波数変更手段１４と、周波数変更手段１４によって周波数が変更された音声信号を送受信手段５によって受信された音声信号に応じて消去するよう指示する消去指示手段７とを備える。【選択図】  図１
2004282131.tif 000002
【特許請求の範囲】
【請求項１】
音声信号を受信する受信手段と、音声信号を送信する送信手段と、前記送信手段によって送信される前記音声信号の周波数を変更する周波数変更手段と、前記周波数変更手段によって周波数が変更された前記音声信号が前記送信手段によって送信されることを前記受信手段によって受信された前記音声信号に応じて停止する送信停止手段とを備えたことを特徴とする音声通信装置。
【請求項２】
音声信号を受信する受信手段と、音声信号を送信する送信手段と、前記送信手段によって送信される前記音声信号の周波数を変更する周波数変更手段と、前記周波数変更手段によって周波数が変更されて前記送信手段によって送信される前記音声信号のレベルを前記受信手段によって受信された前記音声信号に応じて変更するレベル変更手段とを備えたことを特徴とする音声通信装置。
【請求項３】
インターホンシステムの室内機であることを特徴とする請求項１又は請求項２に記載の音声通信装置。
【請求項４】
請求項３に記載の音声通信装置と、前記音声通信装置と音声通信を行う室外機とを備えたことを特徴とするインターホンシステム。
【請求項５】
音声信号を受信する受信ステップと、音声信号を送信する送信ステップと、前記送信ステップにおいて送信される前記音声信号の周波数を変更する周波数変更ステップと、前記周波数変更ステップにおいて周波数が変更された前記音声信号が前記送信ステップにおいて送信されることを前記受信ステップにおいて受信された前記音声信号に応じて停止する送信停止ステップとを備えたことを特徴とする音声通信方法。
【請求項６】
音声信号を受信する受信ステップと、音声信号を送信する送信ステップと、前記送信ステップにおいて送信される前記音声信号の周波数を変更する周波数変更ステップと、前記周波数変更ステップにおいて周波数が変更されて前記送信ステップにおいて送信される前記音声信号のレベルを前記受信ステップにおいて受信された前記音声信号に応じて変更するレベル変更ステップとを備えたことを特徴とする音声通信方法。
【発明の詳細な説明】
【０００１】
【発明の属する技術分野】
本発明は、周波数を変更した音声信号を送信する音声通信装置に関する。
【０００２】
【従来の技術】
従来、周波数を変更した音声信号を送信する音声通信装置として、音声を変換して音声信号を生成するマイクと、マイクによって生成された音声信号の周波数を下げて周波数の低い男性的な音声となる音声信号を生成するボイスチェンジャとを備え、ボイスチェンジャによって生成された音声信号をドアホン子器に送信するインターホン親機が知られている（例えば、特許文献１参照。）。
【０００３】
【特許文献１】
特開平０７―９９５４６号公報（第４頁、第４図）
【０００４】
【発明が解決しようとする課題】
しかしながら、上述した従来の音声通信装置においては、インターホン親機によってドアホン子器から受信された音声信号の一部がインターホン親機のボイスチェンジャを経由してインターホン親機からドアホン子器に送信されることがあり、音声信号の周波数を変更していることが相手装置であるドアホン子器側の通話者に知られてしまうという問題があった。
【０００５】
そこで、本発明は、音声信号の周波数を変更していることが相手装置側の通話者に知られることを防止することができる音声通信装置を提供することを目的とする。
【０００６】
【課題を解決するための手段】
上述した課題を解決するために、本発明の音声通信装置は、音声信号を受信する受信手段と、音声信号を送信する送信手段と、前記送信手段によって送信される前記音声信号の周波数を変更する周波数変更手段と、前記周波数変更手段によって周波数が変更された前記音声信号が前記送信手段によって送信されることを前記受信手段によって受信された前記音声信号に応じて停止する送信停止手段とを備えた構成を有している。
【０００７】
この構成により、本発明の音声通信装置は、周波数変更手段によって周波数が変更された音声信号の送信を相手装置から受信した音声信号に応じて停止するので、相手装置から受信した音声信号の一部が周波数変更手段を経由して相手装置に送信されることを停止することができ、音声信号の周波数を変更していることが相手装置側の通話者に知られることを防止することができる。
【０００８】
また、本発明の音声通信装置は、音声信号を受信する受信手段と、音声信号を送信する送信手段と、前記送信手段によって送信される前記音声信号の周波数を変更する周波数変更手段と、前記周波数変更手段によって周波数が変更されて前記送信手段によって送信される前記音声信号のレベルを前記受信手段によって受信された前記音声信号に応じて変更するレベル変更手段とを備えた構成を有している。
【０００９】
この構成により、本発明の音声通信装置は、周波数変更手段によって周波数が変更された音声信号のレベルを相手装置から受信した音声信号に応じて変更するので、相手装置から受信した音声信号のうち、周波数変更手段を経由して相手装置に送信される音声信号のレベルを抑制することができ、音声信号の周波数を変更していることが相手装置側の通話者に知られることを防止することができる。
【００１０】
また、本発明の音声通信装置は、インターホンシステムの室内機である構成を有する。
【００１１】
この構成により、本発明の音声通信装置は、音声信号の周波数を変更していることが相手装置である室外機の通話者、即ち、訪問者に知られることを防止することができるので、音声通信装置自身側の通話者の正体が訪問者に知られることなく、訪問者を撃退することができる。
【００１２】
また、本発明のインターホンシステムは、音声通信装置と、前記音声通信装置と音声通信を行う室外機とを備えた構成を有している。
【００１３】
この構成により、本発明のインターホンシステムは、音声信号の周波数を変更していることが室外機側の通話者、即ち、訪問者に知られることを防止することができるので、音声通信装置である室内機側の通話者の正体が訪問者に知られることなく、訪問者を撃退することができる。
【００１４】
また、本発明の音声通信方法は、音声信号を受信する受信ステップと、音声信号を送信する送信ステップと、前記送信ステップにおいて送信される前記音声信号の周波数を変更する周波数変更ステップと、前記周波数変更ステップにおいて周波数が変更された前記音声信号が前記送信ステップにおいて送信されることを前記受信ステップにおいて受信された前記音声信号に応じて停止する送信停止ステップとを備えた構成を有している。
【００１５】
この構成により、本発明の音声通信方法を実行する装置は、周波数が変更された音声信号の送信を相手装置から受信した音声信号に応じて停止するので、相手装置から受信した音声信号の一部が周波数変更手段を経由して相手装置に送信されることを停止することができ、音声信号の周波数を変更していることが相手装置側の通話者に知られることを防止することができる。
【００１６】
また、本発明の音声通信方法は、音声信号を受信する受信ステップと、音声信号を送信する送信ステップと、前記送信ステップにおいて送信される前記音声信号の周波数を変更する周波数変更ステップと、前記周波数変更ステップにおいて周波数が変更されて前記送信ステップにおいて送信される前記音声信号のレベルを前記受信ステップにおいて受信された前記音声信号に応じて変更するレベル変更ステップとを備えた構成を有している。
【００１７】
この構成により、本発明の音声通信方法を実行する装置は、周波数が変更された音声信号のレベルを相手装置から受信した音声信号に応じて変更することで、周波数が変更された音声信号に基づく音声が相手装置において発せられることを抑制することができるので、音声信号の周波数を変更していることが相手装置側の通話者に知られることを防止することができる。
【００１８】
【発明の実施の形態】
以下、本発明の実施の形態について、図面を用いて説明する。
【００１９】
（第１の実施の形態）
まず、本発明の第１の実施の形態に係るインターホンシステムの構成について説明する。
【００２０】
図１に示すように、本実施の形態に係るインターホンシステム１は、室内に設置された室内機である親機２と、室外に設置された室外機である室外子機３と、室内に設置された室内子機４とを備えている。ここで、親機２は、本発明の音声通信装置である。
【００２１】
親機２は、室外子機３によって生成された音声信号（以下、室外子機音声信号という。）を室外子機３から受信し、親機２自身から送信される音声信号（以下、送信音声信号という。）を室外子機３に送信する送受信手段５と、送受信手段５によって受信された室外子機音声信号を増幅する増幅手段６と、送信音声信号を消去するように指示する消去指示手段７と、消去指示手段７が送信音声信号を消去するよう指示する際の基準となる室外子機音声信号のレベルの閾値を記憶している閾値記憶手段８と、増幅手段６によって増幅された室外子機音声信号のレベルと閾値記憶手段８によって記憶されている閾値とを比較した結果に応じて消去指示手段７を動作させるレベル比較手段９とを備えている。
【００２２】
また、親機２は、増幅手段６によって増幅された室外子機音声信号を増幅する増幅手段１０と、増幅手段１０によって増幅された室外子機音声信号を音声に変換する音声変換手段１１と、親機２自身側の通話者の発した音声を集音し、集音された音声を音声信号（以下、室内機音声信号という。）に変換する音声信号変換手段１２と、音声信号変換手段１２によって変換された室内機音声信号を増幅する増幅手段１３とを備えている。
【００２３】
また、親機２は、音声信号の周波数を変更する周波数変更手段１４と、室外子機音声信号の一部で親機２自身を経由して送受信手段５から室外子機３に送信される音声信号及び室内機音声信号が混在した音声信号（以下、混在音声信号という。）のうち、周波数変更手段１４によって周波数が変更された混在音声信号及び周波数変更手段１４によって周波数が変更されていない混在音声信号の何れかを送信音声信号として親機２自身側の通話者からの指示に応じて選択する選択手段１５と、選択手段１５によって選択された送信音声信号を増幅するか又は消去指示手段７からの指示に従って送信音声信号を消去する増幅手段１６と、室外子機音声信号を親機２から室内子機４に出力し、室内子機４で生成された音声信号（以下、この音声信号も室内機音声信号という。）を親機２に入力する入出力手段１７とを備えている。
【００２４】
なお、送受信手段５は、本発明の受信手段及び送信手段であり、消去指示手段７は、本発明の送信停止手段である。
【００２５】
室外子機３は、室外子機３自身側の通話者、即ち訪問者の発した音声を集音し、集音された音声を室外子機音声信号に変換する音声信号変換手段１８と、音声信号変換手段１８によって変換された室外子機音声信号を増幅する増幅手段１９と、増幅手段１９によって増幅された室外子機音声信号を親機２に送信し、親機２から送信音声信号を受信する送受信手段２０とを備えている。また、室外子機３は、送受信手段２０によって受信された送信音声信号を増幅する増幅手段２１と、増幅手段２１によって増幅された送信音声信号を音声に変換する音声変換手段２２とを備えている。
【００２６】
室内子機４は、室内子機４自身側の通話者の発した音声を集音し、集音された音声を室内機音声信号に変換する音声信号変換手段２３と、音声信号変換手段２３によって変換された室内機音声信号を増幅する増幅手段２４と、増幅手段２４によって増幅された室内機音声信号を親機２に出力し、親機２から室外子機音声信号が入力される入出力手段２５とを備えている。また、室内子機４は、入出力手段２５によって入力された室外子機音声信号を増幅する増幅手段２６と、増幅手段２６によって増幅された室外子機音声信号を音声に変換する音声変換手段２７とを備えている。
【００２７】
次に、本実施の形態に係るインターホンシステム１において、周波数が変更された混在音声信号が親機２の通話者によって送信音声信号として選択される場合の動作について説明する。
【００２８】
まず、図２に示すように、周波数が変更された混在音声信号が送信音声信号として予め親機２側の通話者によって選択される（ステップＳ３１）。
【００２９】
次に、室外子機３の音声信号変換手段１８によって訪問者の発する音声が集音され、室外子機音声信号に変換される（ステップＳ３２）。
【００３０】
次いで、音声信号変換手段１８によって変換された室外子機音声信号が増幅手段１９によって増幅され、送受信手段２０によって親機２に送信された後、親機２の送受信手段５によって受信される（ステップＳ３３、受信ステップ）。
【００３１】
続いて、送受信手段５によって受信された室外子機音声信号が、増幅手段６及び増幅手段１０によって増幅され、音声変換手段１１によって音声に変換される。
【００３２】
また、室内子機４が使用されている場合、室外子機音声信号は、入出力手段１７によって室内子機４に出力され、室内子機４の入出力手段２５に入力される。更に、入力された室外子機音声信号が増幅手段２６によって増幅された後、音声変換手段２７によって音声に変換される。
【００３３】
また、親機２の音声信号変換手段１２によって親機２側の通話者の発する音声が集音され、室内機音声信号に変換される。
【００３４】
次に、音声信号変換手段１２によって変換された室内機音声信号が増幅手段１３によって増幅され、周波数変更手段１４に出力される。
【００３５】
また、室内子機４の音声信号変換手段２３によって室内子機４側の通話者の発する音声が集音され、室内機音声信号に変換されても良い。その場合、音声信号変換手段２３によって変換された室内機音声信号は増幅手段２４によって増幅され、入出力手段２５によって親機２に出力され、親機２の入出力手段１７に入力されて、周波数変更手段１４に出力される。
【００３６】
また、室外子機音声信号の一部が増幅手段１０又は入出力手段１７に出力されずに、周波数変更手段１４に出力されることにより室内機音声信号と混在することで、混在音声信号が生成される。ただし、親機２側の通話者又は室内子機４側の通話者が音声を発しないために、音声信号変換手段１２又は室内子機４の音声信号変換手段２３によって音声が集音されず、音声が音声信号に変換されない場合、混在音声信号は室外子機音声信号のみとなる。
【００３７】
次いで、周波数変更手段１４に混在音声信号が入力され、音声に変換されたときに男性的な音声となるように、入力された混在音声信号の周波数が周波数変更手段１４によって変更され（ステップＳ３４、周波数変更ステップ）、選択手段１５に出力される。
【００３８】
続いて、ステップＳ３１において周波数が変更された混在音声信号が送信音声信号として選択されているので、周波数が変更された混在音声信号が選択手段１５によって送信音声信号として増幅手段１６に出力される。
【００３９】
また、増幅手段６から室外子機音声信号がレベル比較手段９に出力され、レベル比較手段９によって閾値記憶手段８に記憶されている閾値が取得され、取得された閾値とレベル比較手段９に入力された室外子機音声信号のレベルとがレベル比較手段９によって比較され、レベル比較手段９に入力された室外子機音声信号のレベルが取得された閾値以上であるか判定される（ステップＳ３５）。
【００４０】
次に、ステップＳ３５においてレベル比較手段９に入力された室外子機音声信号のレベルが取得された閾値以上であると判定された場合、レベル比較手段９によって消去指示手段７が動作され、動作された消去指示手段７から増幅手段１６に送信音声信号を消去するように指示が出され（ステップＳ３６）、増幅手段１６によって送信音声信号が消去される（ステップＳ３７、送信停止ステップ）。
【００４１】
また、ステップＳ３５においてレベル比較手段９に入力された室外子機音声信号のレベルが閾値記憶手段８に記憶されている閾値よりも小さいと判定された場合、送信音声信号は、増幅手段１６によって増幅され、送受信手段５によって室外子機３に送信される（ステップＳ３８、送信ステップ）。
【００４２】
次に、室外子機３の送受信手段２０によって送信音声信号が受信され、受信された送信音声信号は、増幅手段２１によって増幅され、音声変換手段２２によって音声に変換される。
【００４３】
以上に説明したように、インターホンシステム１の親機２は、周波数変更手段１４によって周波数が変更された混在音声信号の送信を室外子機３から受信した室外子機音声信号に応じて停止するので、室外子機３から受信した室外子機音声信号の一部が周波数変更手段１４を経由して室外子機３に送信されることを停止することができ、混在音声信号の周波数を変更していることが相手側装置である室外子機３側の通話者、即ち訪問者に知られることを防止することができる。
【００４４】
また、インターホンシステム１は、音声信号の周波数を変更していることが訪問者に知られることを防止することができるので、親機２側の通話者の正体が訪問者に知られることなく、訪問者を撃退することができる。
【００４５】
なお、インターホンシステム１は、室内子機４を備えていれば、音声変換手段１１及び音声信号変換手段１２を親機２が備えていない構成であっても良い。
【００４６】
また、インターホンシステム１は、室内子機４を備えていない構成であっても良い。
【００４７】
また、音声通信装置は、本実施の形態においてインターホンシステム１の親機２によって構成されているが、インターホンシステムの通信装置に限定されるものではなく、例えば携帯電話等の通信装置によって構成されるようになっていても良い。
【００４８】
また、本実施の形態において、親機２から室外子機３に送信音声信号が送信されることを停止するために、送信音声信号が送受信手段５に入力される前に送信音声信号を消去したが、これに限定されるものではない。例えば、送受信手段５から室外子機３に送信音声信号が送信される時点で送信音声信号が親機２から室外子機３に送信されることを停止しても良い。
【００４９】
（第２の実施の形態）
まず、本発明の第２の実施の形態に係るインターホンシステムの構成について説明する。
【００５０】
なお、本発明の第２の実施の形態に係るインターホンシステム５１の構成要素のうち、本発明の第１の実施の形態に係るインターホンシステム１（図１参照）の構成要素と同様の処理を行うものには同一の符号を付し、それぞれの説明を省略する。
【００５１】
図３に示すように、本実施の形態に係るインターホンシステム５１の構成は、室内で使用される親機５２を親機２（図１参照）に代えてインターホンシステム１（図１参照）が備えた構成と同様である。
【００５２】
親機５２は、室外子機３に送信される混在音声信号を減衰するように指示するレベル減衰手段５３と、室外子機音声信号のレベルと閾値記憶手段８によって記憶されている閾値とを比較した結果に応じてレベル減衰手段５３を動作させるレベル比較手段５４とを消去指示手段７（図１参照）と、レベル比較手段９（図１参照）とに代えて親機２が備えた構成と同様である。
【００５３】
なお、レベル減衰手段５３は、本発明のレベル変更手段であり、本実施の形態における増幅手段１６は、レベル減衰手段５３からの指示に従い、送信音声信号を減衰するようになっている。
【００５４】
次に、本実施の形態に係るインターホンシステム５１において、周波数が変更された混在音声信号が親機５２側の通話者によって送信音声信号として選択される場合の動作について説明する。
【００５５】
まず、図４に示すように、ステップＳ６１からステップＳ６５までは、第１の実施の形態に係るインターホンシステム１の動作におけるステップＳ３１からステップＳ３５までと同様なので、以下、ステップＳ６１からステップＳ６５までに関する説明を省略する。
【００５６】
次に、ステップＳ６５においてレベル比較手段５４に入力された室外子機音声信号のレベルが取得された閾値以上であると判定された場合、レベル比較手段５４によってレベル減衰手段５３が動作され、動作されたレベル減衰手段５３から増幅手段１６に送信音声信号を減衰するように指示が出され（ステップＳ６６）、増幅手段１６によって送信音声信号が減衰され、送受信手段５によって室外子機３に送信される（ステップＳ６７、レベル変更ステップ）。
【００５７】
また、ステップＳ６５においてレベル比較手段５４の入力された室外子機音声信号のレベルが閾値記憶手段８に記憶されている閾値よりも小さいと判定された場合、送信音声信号は、増幅手段１６によって増幅され、送受信手段５によって室外子機３に送信される（ステップＳ６８、送信ステップ）。
【００５８】
次に、室外子機３の送受信手段２０によって送信音声信号が受信され、増幅手段２１によって増幅され、音声変換手段２２によって音声に変換される。
【００５９】
以上に説明したように、インターホンシステム５１の親機５２は、周波数変更手段１４によって周波数が変更された混在音声信号、即ち送信音声信号を室外子機３から受信した室外子機音声信号に応じて減衰するので、室外子機３から受信した室外子機音声信号の一部が周波数変更手段１４を経由することで生成されて、室外子機３に送信される送信音声信号を抑制することができ、送信音声信号の周波数を変更していることが訪問者に知られることを防止することができる。
【００６０】
また、インターホンシステム５１は、音声信号の周波数を変更していることが訪問者に知られることを防止することができるので、親機５２側の通話者の正体が訪問者に知られることなく、訪問者を撃退することができる。
【００６１】
なお、インターホンシステム５１は、室内子機４を備えていれば、音声変換手段１１及び音声信号変換手段１２を親機５２が備えていない構成であっても良い。
【００６２】
また、インターホンシステム５１は、室内子機４を備えていない構成であっても良い。
【００６３】
また、音声通信装置は、本実施の形態においてインターホンシステム５１の親機５２によって構成されているが、インターホンシステムの通信装置に限定されるものではなく、例えば携帯電話等の通信装置によって構成されるようになっていても良い。
【００６４】
また、本実施の形態において、親機５２から室外子機３に送信される送信音声信号を減衰するのに、送信音声信号が送受信手段５に入力される前に送信音声信号を減衰したが、これに限定されるものではない。例えば、送受信手段５から室外子機３に送信音声信号が送信される時点で送信音声信号が減衰されても良い。
【００６５】
【発明の効果】
以上に説明したように、本発明は、音声信号の周波数を変更していることが相手装置側の通話者に知られることを防止することができる音声通信装置を提供することができるものである。
【図面の簡単な説明】
【図１】本発明の第１の実施の形態に係るインターホンシステムのブロック図
【図２】図１に示すインターホンシステムの動作のフローチャート
【図３】本発明の第２の実施の形態に係るインターホンシステムのブロック図
【図４】図３に示すインターホンシステムの動作のフローチャート
【符号の説明】
１、５１  インターホンシステム
２、５２  親機（音声通信装置、室内機）
３  室外子機（室外機）
４  室内子機（室内機）
５  送受信手段（受信手段、送信手段）
７  消去指示手段（送信停止手段）
１４  周波数変更手段
５３  レベル減衰手段（レベル変更手段）
【図１】
2004282131.tif 000003
【図２】
2004282131.tif 000004
【図３】
2004282131.tif 000005
【図４】
2004282131.tif 000006